(57)【要約】【課題】面倒なメンテナンスを省略して長期間使用できる引戸連動装置を提供する。【解決手段】３枚以上の引戸１，２，３を開閉移動自在に設けた引戸連動装置であって、複数本のラック１０，１１，１２，１３と複数個のピニオン２１，２２の噛合によって、引戸１，２，３が差動しつつ連動して開閉可能としている。【選択図】図１
2015063823.tif 000002
【特許請求の範囲】
【請求項１】
３枚以上の引戸（１）（２）（３）を開閉移動自在に設けた引戸連動装置であって、
複数本のラック（１０）（１１）（１２）（１３）と複数個のピニオン（２１）（２２）の噛合によって、上記引戸（１）（２）（３）が差動しつつ連動して開閉可能としたことを特徴とする引戸連動装置。
【請求項２】
第１引戸（１）と第２引戸（２）と第３引戸（３）を開閉移動自在に設け、
固定枠（Ｆ）に固定ラック（１０）を取着すると共に上記第１引戸（１）に第１移動ラック（１１）を、上記第２引戸（２）に第２移動ラック（１２）を、上記第３引戸（３）に第３移動ラック（１３）を、夫々に取着し、かつ、上記第１引戸（１）に第１ピニオン（２１）を取付け、上記第２引戸（２）に第２ピニオン（２２）を取付けて、
上記第１ピニオン（２１）を上記固定ラック（１０）と上記第２移動ラック（１２）に噛合させ、かつ、上記第２ピニオン（２２）を上記第１移動ラック（１１）と上記第３移動ラック（１３）に噛合させ、上記第１引戸（１）と上記第２引戸（２）と上記第３引戸（３）が差動しつつ連動して開閉移動するように構成されたことを特徴とする引戸連動装置。
【請求項３】
第１引戸（１）と第２引戸（２）と第３引戸（３）を開閉移動自在に設け、
固定枠（Ｆ）に固定ラック（１０）を取着すると共に上記第１引戸（１）に第１移動ラック（１１）を、上記第２引戸（２）に第２移動ラック（１２）を、上記第３引戸（３）に第３移動ラック（１３）を、夫々に取着し、かつ、第１連結機構（１５）によって連動連結された前後一対の第１シンクロ歯車（３１Ａ）（３１Ｂ）を上記第１引戸（１）に取付け、第２連結機構（１６）によって連動連結された前後一対の第２シンクロ歯車（３２Ａ）（３２Ｂ）を上記第２引戸（２）に取付けて、
上記第１シンクロ歯車（３１Ａ）（３１Ｂ）の前方の歯車（３１Ａ）を上記第２移動ラック（１２）に噛合させると共に後方の歯車（３１Ｂ）を上記固定ラック（１０）に噛合させ、かつ、上記第２シンクロ歯車（３２Ａ）（３２Ｂ）の前方の歯車（３２Ａ）を上記第３移動ラック（１３）に噛合させると共に後方の歯車（３２Ｂ）を上記第１移動ラック（１１）に噛合させ、上記第１引戸（１）と上記第２引戸（２）と上記第３引戸（３）が差動しつつ連動して開閉移動するように構成されたことを特徴とする引戸連動装置。
【発明の詳細な説明】
【技術分野】
【０００１】
本発明は、引戸連動装置に関する。
【背景技術】
【０００２】
従来、ワイヤを用いた連動装置を備える３連式の引戸が提案されている（例えば、特許文献１参照）。  
【先行技術文献】
【特許文献】
【０００３】
【特許文献１】特開２００９−２８０９９４号公報
【発明の概要】
【発明が解決しようとする課題】
【０００４】
しかし、従来の引戸連動装置は、ワイヤが緩んで故障する虞れがあった。従って、故障を防止するために定期的にワイヤの張りを調整するメンテナンスが必要となり、このようなメンテナンスは、厄介な作業であり、多大な手間と時間を浪費していた。
【０００５】
そこで、本発明は、面倒なメンテナンスを省略して長期間使用できる引戸連動装置を提供することを目的とする。
【課題を解決するための手段】
【０００６】
本発明に係る引戸連動装置は、３枚以上の引戸を開閉移動自在に設けた引戸連動装置であって、複数本のラックと複数個のピニオンの噛合によって、上記引戸が差動しつつ連動して開閉可能としたものである。
【０００７】
また、第１引戸と第２引戸と第３引戸を開閉移動自在に設け、固定枠に固定ラックを取着すると共に上記第１引戸に第１移動ラックを、上記第２引戸に第２移動ラックを、上記第３引戸に第３移動ラックを、夫々に取着し、かつ、上記第１引戸に第１ピニオンを取付け、上記第２引戸に第２ピニオンを取付けて、上記第１ピニオンを上記固定ラックと上記第２移動ラックに噛合させ、かつ、上記第２ピニオンを上記第１移動ラックと上記第３移動ラックに噛合させ、上記第１引戸と上記第２引戸と上記第３引戸が差動しつつ連動して開閉移動するように構成されたものである。
また、第１引戸と第２引戸と第３引戸を開閉移動自在に設け、固定枠に固定ラックを取着すると共に上記第１引戸に第１移動ラックを、上記第２引戸に第２移動ラックを、上記第３引戸に第３移動ラックを、夫々に取着し、かつ、第１連結機構によって連動連結された前後一対の第１シンクロ歯車を上記第１引戸に取付け、第２連結機構によって連動連結された前後一対の第２シンクロ歯車を上記第２引戸に取付けて、上記第１シンクロ歯車の前方の歯車を上記第２移動ラックに噛合させると共に後方の歯車を上記固定ラックに噛合させ、かつ、上記第２シンクロ歯車の前方の歯車を上記第３移動ラックに噛合させると共に後方の歯車を上記第１移動ラックに噛合させ、上記第１引戸と上記第２引戸と上記第３引戸が差動しつつ連動して開閉移動するように構成されたものである。
【発明の効果】
【０００８】
本発明の引戸連動装置によれば、ラックとピニオンが確実に噛合して引戸を連動して開閉することができ、故障が極めて少なく、耐久性を向上できる。よって、面倒なメンテナンスを省略できる。また、構造がシンプルで、製造・設置が容易となり、コストを低減できる。
【図面の簡単な説明】
【０００９】
【図１】本発明の実施の一形態の全開状態を示した簡略平面図である。
【図２】本発明の実施の一形態の半開半閉状態を示した簡略平面図である。
【図３】本発明の実施の一形態の閉鎖状態を示した簡略平面図である。
【図４】戸尻側から見た要部拡大断面側面図である。
【図５】本発明の他の実施形態の全開状態を示した簡略平面図である。
【図６】本発明の他の実施形態の半開半閉状態を示した簡略平面図である。
【図７】本発明の他の実施形態の閉鎖状態を示した簡略平面図である。
【図８】要部拡大断面正面図である。
【発明を実施するための形態】
【００１０】
以下、実施の形態を示す図面に基づき本発明を詳説する。
図１〜図３に示すように、本発明の引戸連動装置は、住宅、ビル、倉庫、物置等の出入口に設置され、３枚以上の引戸１，２，３を開閉移動自在に設け、複数本のラック１０，１１，１２，１３と複数個のピニオン２１，２２の噛合によって、引戸１，２，３が差動しつつ連動して開閉可能としている。
【００１１】
図１〜図３に於て、第１引戸１と、第２引戸２と、第３引戸３とを、開閉移動自在に設け、固定枠Ｆに固定ラック１０を取着すると共に、第１引戸１に第１移動ラック１１を、第２引戸２に第２移動ラック１２を、第３引戸３に第３移動ラック１３を、夫々に取着している。また、第１引戸１に第１ピニオン２１を取付け、第２引戸２に第２ピニオン２２を取付けている。そして、第１ピニオン２１を固定ラック１０と第２移動ラック１２に噛合させ、かつ、第２ピニオン２２を第１移動ラック１１と第３移動ラック１３に噛合させ、第１引戸１と第２引戸２と第３引戸３が差動しつつ連動して開閉移動するように構成されている。
【００１２】
固定ラック１０と、第１移動ラック１１・第２移動ラック１２・第３移動ラック１３は、角柱状の金属又は硬質樹脂から成り、一方面にギア歯が形成されている。平面視に於て、固定ラック１０は、固定枠Ｆの第１引戸１と対面する側に取着され、固定枠Ｆの前端から突出状に配設されている。第１移動ラック１１は、第１引戸１の第２引戸２と対面する側に取着され、第１引戸１の前端から突出状に配設されている。また、第２移動ラック１２は、第２引戸２の第１引戸１と対面する側に並設されている。また、第３移動ラック１３は、第３引戸３の第２引戸２と対面する側に並設されている。
第１ピニオン２１は、平歯車から成り、第１引戸１の前端部上面に回転自在に取付けられている。図１の全開状態で、第１ピニオン２１は、固定ラック１０の後端部に噛合し、その反対側で、第２移動ラック１２の前端部に噛合している。
第２ピニオン２２は、平歯車から成り、第２引戸２の前端部上面に回転自在に取付けられている。図１の全開状態で、第２ピニオン２２は、第１移動ラック１１の後端部に噛合し、その反対側で、第３移動ラック１３の前端部に噛合している。
なお、第１ピニオン２１と第２ピニオン２２の歯数は同一とし、第１移動ラック１１と第２移動ラック１２と第３移動ラック１３のギア歯のピッチは同一とする。
【００１３】
第１移動ラック１１と第２移動ラック１２と第３移動ラック１３と、第１引戸１と第２引戸２と第３引戸３は、平面視に於て略同一の長さ寸法に形成され、その大きさは、出入口の幅寸法Ｗ０の１／３倍より僅かに大きく設定されている。即ち、図１の全開状態で、固定枠Ｆの幅寸法の約３倍という広大な開放量（出入口の幅寸法Ｗ０）を確保し、第１引戸１と第２引戸２と第３引戸３は、出入口の幅寸法Ｗ０の約１／３倍の奥行きを有する戸袋４に収納可能である。また、図３に示すように、戸袋４から第１引戸１・第２引戸２・第３引戸３を引き出して、閉鎖状態とし、広大な出入口を閉鎖可能としている。なお、第３引戸３の前端近傍には、手引き用のハンドル６が付設され、さらに、第３引戸３の前端縁に、戸当りとの衝撃を緩和するためのクッション部材１８が設けられている。
【００１４】
図４に示すように、階段状に形成された支持枠（上枠）５０の鉛直面に、３本のガイドレール４０，４０，４０が固着され、このガイドレール４０，４０，４０にスライド自在の吊車４１，４１，４１によって、第１引戸１と第２引戸２と第３引戸３が吊り下げられている。
第１ピニオン２１と第２ピニオン２２は、所定の高低差をもって上下方向にずらして配設されている。言い換えると、第１ピニオン２１が固定ラック１０と第２移動ラック１２に噛合する高さ位置と、第２ピニオン２２が第１移動ラック１１と第３移動ラック１３に噛合する高さ位置とが、互いに異なり、この構成により、第１移動ラック１１と第２移動ラック１２がぶつかることなく移動する。
【００１５】
上述した本発明の引戸連動装置の使用方法（作用）について説明する。
図１の全開状態から図２の半開半閉状態のように、第３引戸３を矢印Ｃのように引き出して移動させると、第３移動ラック１３に噛合する第２ピニオン２２が反時計方向に回転する。第２ピニオン２２は、第１移動ラック１１上で転動して、第２引戸２が第３引戸３に遅れて差動しつつ移動する。
第２引戸２の移動に伴って、第２移動ラック１２に噛合する第１ピニオン２１が反時計方向に回転する。第１ピニオン２１は、固定ラック１０上で転動して、第１引戸１が第２引戸２に遅れて差動しつつ移動する。
第１引戸１と第２引戸２の関係は、第１引戸１の移動量（走行代）寸法Ｌ１と、第２引戸２の移動量寸法Ｌ２の比が、１対２となる。
【００１６】
また、第２引戸２と第３引戸３の関係については、第１引戸１が動かないと仮定した場合には、その移動量の比は１対２となる。しかし、第１移動ラック１１は、第１引戸１と共に移動し、第２引戸２と第３引戸３の移動量に第１引戸１の移動量寸法Ｌ１の影響を考慮して計算すると、第２引戸２の移動量寸法Ｌ２と、第３引戸３の移動量寸法Ｌ３の比は、２対３となる。
即ち、第１引戸１の移動量寸法Ｌ１と、第２引戸２の移動量寸法Ｌ２と、第３引戸３の移動量寸法Ｌ３の比は、１対２対３となる。言い換えると、第３引戸３の移動速度に対し、第２引戸２は２／３倍の速度で移動し、第１引戸１は１／３倍の速度で移動する。
【００１７】
このようにして、第１引戸１の第１ピニオン２１を固定ラック１０と第２移動ラック１２に噛合させ、第２引戸２の第２ピニオン２２を第１移動ラック１１と第３移動ラック１３に噛合させることで、第１引戸１と第２引戸２と第３引戸３が１対２対３の速度比をもって差動し、連動して開閉移動する。
従って、第１引戸１と第２引戸２と第３引戸３の３枚の引戸をもって、固定枠Ｆのほぼ３倍の幅寸法Ｗ０を有する広大な出入口の開閉を行うことができる。
【００１８】
次に、本発明の引戸連動装置の他の実施形態について説明する。
図５〜図８に示すように、第１引戸１と第２引戸２と第３引戸３を開閉移動自在に設け、固定枠Ｆに固定ラック１０を取着すると共に第１引戸１に第１移動ラック１１を、第２引戸２に第２移動ラック１２を、第３引戸３に第３移動ラック１３を、夫々に取着している。なおかつ、第１連結機構１５によって連動連結された前後一対の第１シンクロ歯車３１Ａ，３１Ｂを第１引戸１に取付け、第２連結機構１６によって連動連結された前後一対の第２シンクロ歯車３２Ａ，３２Ｂを第２引戸２に取付けて、第１シンクロ歯車３１Ａ，３１Ｂの前方の歯車３１Ａを第２移動ラック１２に噛合させると共に後方の歯車３１Ｂを固定ラック１０に噛合させ、かつ、第２シンクロ歯車３２Ａ，３２Ｂの前方の歯車３２Ａを第３移動ラック１３に噛合させると共に後方の歯車３２Ｂを第１移動ラック１１に噛合させ、第１引戸１と第２引戸２と第３引戸３が差動しつつ連動して開閉移動するように構成されている。
【００１９】
固定ラック１０は、固定枠Ｆの第１引戸１と対面する側に取着され、固定枠Ｆの前端から突出することなく配設されている。第１移動ラック１１は、第１引戸１の第２引戸２と対面する側に並設されている。また、第２移動ラック１２は、第２引戸２の第１引戸１と対面する側に並設されている。また、第３移動ラック１３は、第３引戸３の第２引戸２と対面する側に並設されている。なお、第１移動ラック１１と第２移動ラック１２と第３移動ラック１３のギア歯のピッチは同一とする。
【００２０】
図８に示すように、第１シンクロ歯車３１Ａ，３１Ｂは、相互に同期して回転する２つの平歯車から成り、第１引戸１上面の前後端部に回転自在に取付けられている。図５では、第１シンクロ歯車３１Ａ，３１Ｂの前方の歯車３１Ａは、第２移動ラック１２の前端部に噛合し、後方の歯車３１Ｂは、固定ラック１０の後端部に噛合している。
第１連結機構１５は、第１シンクロ歯車３１Ａ，３１Ｂを枢支するシャフト１７，１７の上端に取着され第１シンクロ歯車３１Ａ，３１Ｂと一体状に鉛直軸心廻りに回転自在のかさば歯車１９，１９と、このかさば歯車１９，１９に噛合し水平軸心廻りに回転自在のかさば歯車２０，２０と、かさば歯車２０，２０を相互に連結する連結軸１４と、から成る。即ち、第１連結機構１５は、第１シンクロ歯車３１Ａ，３１Ｂを同じ回転方向に、同一の回転数で同調（シンクロ）して回転させるように構成されている。なお、連結軸１４は、ケーシング２５の側壁部に枢着され、第１連結機構１５は、ケーシング２５内に収納されてユニット化されている。
【００２１】
第２シンクロ歯車３２Ａ，３２Ｂは、相互に同期して回転する２つの平歯車から成り、第２引戸２上面の前後端部に回転自在に取付けられている。図５では、第２シンクロ歯車３２Ａ，３２Ｂの前方の歯車３２Ａは、第３移動ラック１３の前端部に噛合し、後方の歯車３２Ｂは、第１移動ラック１１の後端部に噛合している。
第２連結機構１６は、第１連結機構１５と同様の構成とし、第２シンクロ歯車３２Ａ，３２Ｂを同じ回転方向に、同一の回転数で同調（シンクロ）して回転させるように構成されている。
なお、第１シンクロ歯車３１Ａ，３１Ｂを構成する２つの平歯車と、第２シンクロ歯車３２Ａ，３２Ｂを構成する２つの平歯車の歯数は同一とするのが好ましい。
【００２２】
図５〜図７に示すように、第３引戸３を引き出して移動させると、第３移動ラック１３に噛合する歯車３２Ａが反時計方向に回転し、歯車３２Ａにシンクロする歯車３２Ｂが、第１移動ラック１１上で転動して、第２引戸２が第３引戸３に遅れて差動しつつ移動する。
第２引戸２の移動に伴って、第２移動ラック１２に噛合する歯車３１Ａが反時計方向に回転し、歯車３１Ａにシンクロする歯車３１Ｂが、固定ラック１０上で転動して、第１引戸１が第２引戸２に遅れて差動しつつ移動する。
第１引戸１と第２引戸２の関係は、第１引戸１の移動量（走行代）寸法Ｌ１と、第２引戸２の移動量寸法Ｌ２の比が、１対２となる。また、第２引戸２の移動量寸法Ｌ２と、第３引戸３の移動量寸法Ｌ３の比は、２対３となる。即ち、第１引戸１の移動量寸法Ｌ１と、第２引戸２の移動量寸法Ｌ２と、第３引戸３の移動量寸法Ｌ３の比は、１対２対３となる。言い換えると、第３引戸３の移動速度に対し、第２引戸２は２／３倍の速度で移動し、第１引戸１は１／３倍の速度で移動する。
【００２３】
このようにして、第１シンクロ歯車３１Ａ，３１Ｂの前方の歯車３１Ａを第２移動ラック１２に噛合させると共に後方の歯車３１Ｂを固定ラック１０に噛合させ、かつ、第２シンクロ歯車３２Ａ，３２Ｂの前方の歯車３２Ａを第３移動ラック１３に噛合させると共に後方の歯車３２Ｂを第１移動ラック１１に噛合させることで、第１引戸１と第２引戸２と第３引戸３が１対２対３の速度比をもって差動し、連動して開閉移動する。
従って、第１引戸１と第２引戸２と第３引戸３の３枚の引戸をもって、固定枠Ｆのほぼ３倍の広大な出入口の開閉を行うことができる。
【００２４】
なお、本発明は、設計変更可能であって、例えば、引戸の枚数を、３枚以上とし、４枚，５枚…と増して、上述のラック・ピニオンで連動連結したものであって良い。引戸の枚数が増加すれば、その分だけより広大な開放量を得ることができる。
また、図示省略するが、各引戸の下端に戸車を設け、床面に敷設したレール部材上を移動自在に走行し、上述のラック・ピニオンによって相互に連動連結して開閉するように構成するも好ましい。
第１連結機構１５・第２連結機構１６は、図８に図示したようなかさば歯車１９，２０を、ウォームギアに置換した構造としても良い（図示省略）。
【００２５】
以上のように、本発明に係る引戸連動装置は、３枚以上の引戸１，２，３を開閉移動自在に設けた引戸連動装置であって、複数本のラック１０，１１，１２，１３と複数個のピニオン２１，２２の噛合によって、引戸１，２，３が差動しつつ連動して開閉可能としたので、ラック１０，１１，１２，１３とピニオン２１，２２が確実に噛合して引戸１，２，３を連動して開閉することができ、故障が極めて少なく、耐久性を向上できる。よって、面倒なメンテナンスを省略できる。また、構造がシンプルで、製造・設置が容易となり、コストを低減できる。
【００２６】
また、第１引戸１と第２引戸２と第３引戸３を開閉移動自在に設け、固定枠Ｆに固定ラック１０を取着すると共に第１引戸１に第１移動ラック１１を、第２引戸２に第２移動ラック１２を、第３引戸３に第３移動ラック１３を、夫々に取着し、かつ、第１引戸１に第１ピニオン２１を取付け、第２引戸２に第２ピニオン２２を取付けて、第１ピニオン２１を固定ラック１０と第２移動ラック１２に噛合させ、かつ、第２ピニオン２２を第１移動ラック１１と第３移動ラック１３に噛合させ、第１引戸１と第２引戸２と第３引戸３が差動しつつ連動して開閉移動するように構成されたので、第１ピニオン２１と固定ラック１０及び第２移動ラック１２、第２ピニオン２２と第１移動ラック１１及び第３移動ラック１３が、確実に噛合して３枚の引戸１，２，３を連動して開閉することができ、故障が極めて少なく、耐久性を向上できる。よって、面倒なメンテナンスを省略できる。また、構造がシンプルで、製造・設置が容易となり、コストを低減できる。第１引戸１と第２引戸２と第３引戸３の３枚の引戸をもって、固定枠Ｆのほぼ３倍の広大な開閉量を確保できる。
【００２７】
また、第１引戸１と第２引戸２と第３引戸３を開閉移動自在に設け、固定枠Ｆに固定ラック１０を取着すると共に第１引戸１に第１移動ラック１１を、第２引戸２に第２移動ラック１２を、第３引戸３に第３移動ラック１３を、夫々に取着し、かつ、第１連結機構１５によって連動連結された前後一対の第１シンクロ歯車３１Ａ，３１Ｂを第１引戸１に取付け、第２連結機構１６によって連動連結された前後一対の第２シンクロ歯車３２Ａ，３２Ｂを第２引戸２に取付けて、第１シンクロ歯車３１Ａ，３１Ｂの前方の歯車３１Ａを第２移動ラック１２に噛合させると共に後方の歯車３１Ｂを固定ラック１０に噛合させ、かつ、第２シンクロ歯車３２Ａ，３２Ｂの前方の歯車３２Ａを第３移動ラック１３に噛合させると共に後方の歯車３２Ｂを第１移動ラック１１に噛合させ、第１引戸１と第２引戸２と第３引戸３が差動しつつ連動して開閉移動するように構成されたので、第１シンクロ歯車３１Ａ，３１Ｂと固定ラック１０及び第２移動ラック１２、第２シンクロ歯車３２Ａ，３２Ｂと第１移動ラック１１及び第３移動ラック１３が、確実に噛合して３枚の引戸１，２，３を連動して開閉することができ、故障が極めて少なく、耐久性を向上できる。よって、面倒なメンテナンスを省略できる。また、構造がシンプルで、製造・設置が容易となり、コストを低減できる。第１引戸１と第２引戸２と第３引戸３の３枚の引戸をもって、固定枠Ｆのほぼ３倍の広大な開閉量を確保できる。固定枠Ｆに固定ラック１０を固着して戸袋４に収納でき、第１引戸１に第１移動ラック１１を確実に固着でき、故障を確実に防止できる。また、第１引戸１と第２引戸２と第３引戸３の間に歪みやズレが生じた場合であっても、第１シンクロ歯車３１Ａ，３１Ｂの取着位置を微調整して固定ラック１０と第２移動ラック１２に確実に噛合させ、第２シンクロ歯車３２Ａ，３２Ｂの取着位置を微調整して第１移動ラック１１と第３移動ラック１３に確実に噛合させることができ、設置が容易となり、施工効率を向上できる。第１シンクロ歯車３１Ａ，３１Ｂの前方の歯車３１Ａが第２移動ラック１２に噛合し、後方の歯車３１Ｂが固定ラック１０に噛合して、２個の歯車３１Ａ，３１Ｂで負荷を分担して、耐久性を向上でき、長期間使用できる。第２シンクロ歯車３２Ａ，３２Ｂの前方の歯車３２Ａが第３移動ラック１３に噛合し、後方の歯車３２Ｂが第１移動ラック１１に噛合して、２個の歯車３２Ａ，３２Ｂで負荷を分担して、耐久性を向上でき、長期間使用できる。
【符号の説明】
【００２８】
１  第１引戸
２  第２引戸
３  第３引戸
１０  固定ラック
１１  第１移動ラック
１２  第２移動ラック
１３  第３移動ラック
１５  第１連結機構
１６  第２連結機構
２１  第１ピニオン
２２  第２ピニオン
３１Ａ，３１Ｂ  第１シンクロ歯車
３２Ａ，３２Ｂ  第２シンクロ歯車
Ｆ  固定枠
【図１】
2015063823.tif 000003
【図２】
2015063823.tif 000004
【図３】
2015063823.tif 000005
【図４】
2015063823.tif 000006
【図５】
2015063823.tif 000007
【図６】
2015063823.tif 000008
【図７】
2015063823.tif 000009
【図８】
2015063823.tif 000010